(57)【要約】【課題】壁及び天井に配線及び再配線するための、永久的で目立たず、低コストであり、自分で設置し易い、特別な場所へ隠設する新しい配線システムと従来の配線とを接続するための対応するソケットを提供する。【解決手段】本発明に係るソケットは、慣用的なプラグの夫々の雄接点と連通するための開口を備えた、電気コンセントアセンブリに使用される雌ソケットであって、前記従来のプラグの夫々の前記雄接点と接触するために、前記ソケットの夫々の前記開口に沿って離設された複数のワイパアセンブリ１１４，１１６であって、前記ワイパアセンブリの夫々が複数のワイパ１１４ａ〜１１４ｃ，１１６ａ〜１１６ｃを有し、該複数のワイパの夫々が他のワイパと独立して移動可能である前記ワイパアセンブリと、そして、一端部で前記ワイパアセンブリに接続され、他端部で電源に接続されている導電リード線１１１，１１２と、を備えている。【選択図】図１１Ａ
2006164990.tif 000002
【特許請求の範囲】
【請求項１】
慣用的なプラグの夫々の雄接点と連通するための開口を備えた、電気コンセントアセンブリに使用される雌ソケットであって、
前記従来のプラグの夫々の前記雄接点と接触するために、前記ソケットの夫々の前記開口に沿って離設された複数のワイパアセンブリであって、前記ワイパアセンブリの夫々が複数のワイパを有し、該複数のワイパの夫々が他のワイパと独立して移動可能である前記ワイパアセンブリと、そして、
一端部で前記ワイパアセンブリに接続され、他端部で電源に接続されている導電リード線と、を備えているソケット。
【請求項２】
ベース部材と、該ベース部材に取り外し可能に固定されたコンセントカバーとを有するコンセントアセンブリであって、
前記コンセントカバー内に配置された銅フレームアセンブリと、
前記コンセントカバーに取り外し可能に固定された平形電線接続アセンブリと、
前記平形電線接続アセンブリの一表面から延在した対応の細長いスロットと夫々連通するために、前記銅フレームアセンブリに固定された第１の複数の雄導電接点と、そして、
前記コンセントカバーと一体化されていると共に、前記銅フレームアセンブリと接触する複数の雌ソケットと、を備えているコンセントアセンブリ。
【請求項３】
前記ベース部材は、標準的な雌ソケットコンセントアセンブリと組み合わせるための複数の開口を備えている請求項２に記載のコンセントアセンブリ。
【請求項４】
さらに、前記コンセントカバーに取り外し可能に固定されて、前記ベース部材の前記開口を通して、前記標準的な雌ソケットコンセントアセンブリの夫々のスロットと連通する雄接点を有する漏電遮断器モジュールと、
前記漏電遮断器モジュールの一表面に沿って設けられた対応のスロットと夫々連通するための前記銅フレームアセンブリに固定された第２の複数の雄導電接点と、を備えた請求項３に記載のコンセントアセンブリ。
【請求項５】
平形電線を慣用的な電線に接続するコネクタであって、
コネクタの第１表面に沿って設けられ、慣用的な配線リード線と選択的に連通している複数の在来型の止めねじと、
前記平形電線の個々の導体を受け取るために、コネクタの第２表面に沿って設けられた１つまたは複数の平形電線ソケットと、を備えており、
該平形電線ソケットの夫々は、前記個々の導体の各々において個々の銅層と接触する複数のスロット付きばねを収容しているコネクタ。
【請求項６】
さらに、前記スロット付きばねを押し付けるねじ手段を備えている請求項５に記載のコネクタ。
【請求項７】
平形電線リード線をコンセントフレームアセンブリに接続するコネクタであって、
前記平形電線の夫々の導体を収容するために、前記コネクタの第１表面に沿って設けられ、前記個々の導体の夫々において個々の銅層と接触するための複数のスロット付きばねを収容している１つまたは複数の平形電線ソケットと、
コンセントフレームアセンブリに沿って離設配置された個々の雄導電接点を受け取るための第２表面に沿って設けられた１つまたは複数の細長いスロットと、を備えたコネクタ。
【請求項８】
前記細長いスロットは、前記雄導電接点と接触するための個別移動可能な複数のワイパを収容している請求項７に記載のコネクタ。
【請求項９】
さらに、前記スロット付きばねを押し付けるねじ手段を備えている請求項７に記載のコネクタ。
【発明の詳細な説明】
【技術分野】
【０００１】
本発明は、一般に、ソケット、コンセントアセンブリ、コネクタに関し、特に、様々な配線用途に使用される薄い屈曲可能な表面取り付け式平形電線と共に使用するソケット、コンセントアセンブリ、コネクタに関する。
【背景技術】
【０００２】
現在の配線と再配線技術及び手順は、既存の商業又は住宅適用する際に、ユーザに多くの制限を加える。
【発明の開示】
【発明が解決しようとする課題】
【０００３】
多くの配線適用、例えば、電気、電話、アンテナ／ＣＡＴＶ、スピーカ及び低電圧配線、並びに、関連のプラグ、スイッチ及びコネクタ等のいずれかの追加、変更または移動をする際には、費用が高くなるか、目立つか、その両方である。
延長コード、長い電話線及びアンテナ／ＣＡＴＶコード、外部スピーカ電線、そして低電圧電線の仮配線方法または取り外し方法は、煩雑で、室内に隠設したり、溶け込ませることが困難である。
永久的な設置では、一般的に、ユーザが隠設を望む場合に専門家が壁内に取り付けるか、何らかの目立たない非可撓性導管を使用する必要がある。いずれの方法も、費用が高くなりがちである。
【０００４】
上記の点から、壁及び天井に配線及び再配線するための、永久的で目立たず、低コストであり、自分で設置し易い、特別な場所への隠設システムが必要とされている。また、そのような新しい配線システムと従来の配線とを接続する対応のソケット、プラグ、スイッチ及びコネクタも必要とされている。
【課題を解決するための手段】
【０００５】
本発明は、既存の従来型丸形配線と本発明の平形電線とを接続する幾つかの独特のソケット、コンセント、スイッチ及びコネクタに言及するものである。
また、本発明は、関連技術の制限及び不都合による一つ以上の問題を大幅に軽減する平形の薄い、可撓性多層電線にも言及するものである。
例を挙げると、これに限定されるものではないが、本発明は、標準的電気配線、電話配線、スピーカ配線、セキュリティシステム等の低電圧配線、底面照明、そしてケーブルＴＶ配線を含む様々な用途に使用することができる。
【０００６】
これら及び他の利点を達成するため、本発明の目的に従って、例示すると共に幅広く説明するように、本発明は、慣用的なプラグの夫々の雄接点と連通するための開口を備えた、電気コンセントアセンブリに使用される雌ソケットであって、前記従来のプラグの夫々の前記雄接点と接触するために、前記ソケットの夫々の前記開口に沿って離設された複数のワイパアセンブリであって、前記ワイパアセンブリの夫々が複数のワイパを有し、該複数のワイパの夫々が他のワイパと独立して移動可能である前記ワイパアセンブリと、そして、一端部で前記ワイパアセンブリに接続され、他端部で電源に接続されている導電リード線と、を備えているソケットを提供する。
別の態様では、本発明は、ベース部材と、該ベース部材に取り外し可能に固定されたコンセントカバーとを有するコンセントアセンブリであって、前記コンセントカバー内に配置された銅フレームアセンブリと、前記コンセントカバーに取り外し可能に固定された平形電線接続アセンブリと、前記平形電線接続アセンブリの一表面から延在した対応の細長いスロットと夫々連通するために、前記銅フレームアセンブリに固定された第１の複数の雄導電接点と、そして、前記コンセントカバーと一体化されていると共に、前記銅フレームアセンブリと接触する複数の雌ソケットと、を備えているコンセントアセンブリを提供する。
前記ベース部材は、標準的な雌ソケットコンセントアセンブリと組み合わせるための複数の開口を備えていることが好ましい。
さらに、前記コンセントカバーに取り外し可能に固定されて、前記ベース部材の前記開口を通して、前記標準的な雌ソケットコンセントアセンブリの夫々のスロットと連通する雄接点を有する漏電遮断器モジュールと、前記漏電遮断器モジュールの一表面に沿って設けられた対応のスロットと夫々連通するための前記銅フレームアセンブリに固定された第２の複数の雄導電接点と、を備えることもできる。
さらにまた別の態様では、本発明は、平形電線を慣用的な電線に接続するコネクタであって、コネクタの第１表面に沿って設けられ、慣用的な配線リード線と選択的に連通している複数の在来型の止めねじと、前記平形電線の個々の導体を受け取るために、コネクタの第２表面に沿って設けられた１つまたは複数の平形電線ソケットと、を備えており、該平形電線ソケットの夫々は、前記個々の導体の各々において個々の銅層と接触する複数のスロット付きばねを収容しているコネクタを提供する。
さらに、コネクタは、前記スロット付きばねを押し付けるねじ手段を備えることもできる。
また別の態様では、本発明は、平形電線リード線をコンセントフレームアセンブリに接続するコネクタであって、前記平形電線の夫々の導体を収容するために、前記コネクタの第１表面に沿って設けられ、前記個々の導体の夫々において個々の銅層と接触するための複数のスロット付きばねを収容している１つまたは複数の平形電線ソケットと、コンセントフレームアセンブリに沿って離設配置された個々の雄導電接点を受け取るための第２表面に沿って設けられた１つまたは複数の細長いスロットと、を備えたコネクタを提供する。
前記細長いスロットは、前記雄導電接点と接触するための個別移動可能な複数のワイパを収容することができる。
さらに、コネクタは、前記スロット付きばねを押し付けるねじ手段を備えることができる。
【０００７】
また、本発明は、ほぼ平行に間隔を保った複数の細長い平形導体からなる表面取り付け式の可撓性多目的電線であって、複数の平形導体の夫々は、複数の銅層と、複数の平形導体を分離させる接着剤と、そして平形導体及び接着剤を包囲する絶縁層とからなり、また、接着剤は絶縁層に付着しており、そして、平形導体及び絶縁層の断面高さは、ペンキを塗るか、壁紙を貼った後、多目的電線が表面に溶け込むようになっている電線を提供する。
銅層は、一般的に、約０．００５０８センチ（約０．００２インチ）程度の厚さであるが、約０．００１０〜０．０５１センチ（約０．０００４〜０．０２０インチ）の範囲内でもよい。銅層の数及び厚さは、所望の適用に適するように調節することができる。ここに示した様々な寸法は、本発明を実用化する際に大幅に変更することができる。
絶縁層は、ポリエステルフィルム（例えばデュポンのマイラー（Dupon Mylar））、ウレタンフィルムまたはテフロン（登録商標）フィルムからなるグループから選択した材料で構成することができる。接着剤は、接着テープ（例えば３Ｍの９５００ＰＣ）、液体接着剤またはその２つを組み合わせたものから選択することができる。
別の態様では、本発明は、上記のような接着剤及び絶縁層と一緒の単一平形導体からなる、表面取り付け式可撓性多目的電線を提供する。
上記の一般的な説明及び以下の詳細な説明とも、例示かつ説明であり、請求されている本発明をさらに詳しく説明するためのものであることを理解されたい。
【発明を実施するための最良の形態】
【０００８】
上記とその他の目的、態様、そして利点は、図面を参照した本発明の好適な実施態様の以下の詳細な説明から十分に理解されるであろう。
【０００９】
一般的に、前述したように、本発明は標準的電話配線、電話配線、スピーカ配線、内部通話装置及びセキュリティシステム等の低電圧配線、底面照明、そして、ケーブルＴＶ配線を含む様々な用途で作動するように使用または採用することができる。また、本発明は、既存の従来の丸形配線と接続する幾つかの独特のコンセント及びスイッチを含む。さらに、本発明はまた、特定のシステム実施態様を実行するために、テープ、はぎ取り工具、そして独特のコネクタを用いる。個々の構成要素細について、個別に詳述した後、本開示が目的とする適用を説明する。
個々の電線実施態様の各々は、基本共通構造を共有している。しかし、個々の適用に従って、所望の目的を達成するために、構造的構成要素の寸法及び基本構造に様々な変更を加えることができる。
参照し易くするため、基本構造を第１電線実施態様に関連して詳細に説明する。この基本構造の概念は、総ての電線実施態様に適用されることを理解されたい。必要に応じて、基本構造の変形例を説明する。全図面を通して、同様な部材については、可能であれば同一の参照番号を使用する。
【実施例１】
【００１０】
電線の実施態様
【００１１】
交流（ＡＣ）電線
図面を、特に図１を参照すると、本発明に従った標準的な１１０Ｖ交流３導体式電線の実施態様の分解横断面図が示されている。分解断面図は、図解のかつ説明の目的だけのものである。実際の３導体式の実施態様では、導体、絶縁体及び接着剤の間に空間（すなわち図１の白色領域）が見えないであろうが、夫々について、以下に詳細に説明する
【００１２】
一般的に、電線１０は、平形の可撓性電線であり、ユーザが室内の壁または天井のいずれの部分へも電気を引くことができるようにされている。電線１０は、壁または天井の表面に取り付けられるため、費用のかかる壁または天井の内側に再配線する必要がない。電線にペンキを塗るか、その上に壁紙を貼って、周りの表面と調和させることができる。
【００１３】
電線１０は、複数の細長い平行に間隔を保たれた多層導体１１を備えている。図１に示されているように、一般的な１１０Ｖ交流３線式の実施態様は、交流地絡線と、交流中性線と、そして、交流電源線とを備えている。
【００１４】
図１に示されているように、内部接着剤１３は、平形導体１１を分離させ、並びに、外側平形導体の縁部密封を行う。接着剤１３及び導体１１を薄い絶縁材の層１５が包囲している。また、外部接着層１７を平形電線の裏面に付着させて、電線を所望の表面に取り付けることができるようになっている。
【００１５】
各導体１１は、銅材で形成された１層または複数層で構成されており、かかる銅材は、約０．００１０〜０．０５１センチ（約０．０００４〜約０．０２０インチ）厚さ、好ましくは約０．００５０８センチ（約０．００２インチ）厚さ程度である。図１には、例として、３銅層１１ａ、１１ｂ、１１ｃが示されている。導体の層の厚さをそれの長さ及び幅全体にわたって均一にし、それによって抵抗「過熱点」をなくす必要がある。
特定の用途の電流及び信号の両方またはいずれか一方の伝送仕様は、３種類の方法のいずれかを個別に、または組み合わせて達成することができる。第１に、導体１１の幅Ｗｃを変更してもよい。第２に、各導体１１に薄い銅層を追加して積み重ねてもよい。第３に、導体１１の厚さｔを増加させてもよい。
ほとんどの負荷及び電流の場合、各導体は、一般的に約２〜５銅層で構成される。しかし、以下に開示する実施態様の夫々において、使用する層を増減することは、本発明の範囲内であることを理解されたい。
例えば、各銅層の厚さが約０．００５０８センチ（約０．００２インチ）の５銅層導体は、絶縁体を含めた厚さが０．０３０４８センチ（０．０１２インチ）程度になる。しかし、その厚さであっても、平形電線は、断面が非常に薄く、ペンキを塗ったり壁紙を貼れば、表面上で実際に見分けがつかなくなる。
【００１６】
次に、絶縁層１５について詳細に説明する。絶縁は、理想状態のみで導通を防止する最低厚さで達成される。絶縁層１５の主目的は、表面に付着させた電線の存在の視覚的隠蔽を助けて、設置時に外観が美しくなるようにすることである。
絶縁層１５は、また、銅導電層の向きを合わせる。さらに、絶縁材を単独か、内部接着剤１３と組み合わせて使用することによって、導電層群を分離させると共に、異なった目的の導体（例えば、交流地絡線対交流中性線または対交流電源線）間に安全な誘電距離を維持することができる。
図１に示されているように、多層平形電線１０の縁部の絶縁層１５は、視覚的隠蔽性を高めるためにテーパ状になっているが、必ずしもその必要はない。絶縁材は、例えばポリエステルフィルム（例えばデュポンのマイラー（Dupont Mylar））、ウレタンフィルムまたはテフロン（登録商標）フィルムからなるグループから選択できる。
本発明の範囲内において別の絶縁材も考えられ、絶縁材が柔軟で、塗装可能であると共に、表面に接着可能であれば、使用することができる。絶縁材はまた、接合混合物に適合し、紫外線耐性を備え、そして導体及びそれを付着させる表面と同様な熱膨張及び収縮特性を備えている必要がある。
他の所望特性として、絶縁材は、製造処理中に加えられる引張り力に耐え、保管状態で収縮または弛緩せず、使用し終わった時に取り外し可能でなければならない。
危険な露出による電気事故の原因になる摩耗、割れ、切断、穿孔または他の絶縁材損傷も、永久損傷を防止する一定期間、ユーザから有害電流を遮断する電子故障検出手段を用いることによって安全にすることができる。この電子故障検出手段、すなわち漏電遮断器（ＧＦＩ）については、詳細に後述する。
【００１７】
図１に戻ると、内部接着剤１３は、絶縁層１５に付着できなければならない。例えば、接着テープ（例えば３Ｍの９５００ＰＣ）、液体接着剤、またはこれら２つを組み合わせたものを内部接着剤として使用することができる。内部接着剤１３は、導電層群を分離して、異なった目的の導体間に安全な誘電距離を維持することもできる。さらに、接着剤１３は、電線内の様々な部材の隙間を埋めて平らにすることによって、表面上での視覚的隠蔽を助けることができる。
内部接着剤１３の厚さは、導体１１の断面高さｔと、特に、内部接着剤が導体１１を分離させている位置における導体１１の断面高さｔとほぼ同じである。図１に示されているように、視覚的隠蔽性を向上させるために、内部接着剤１３を平形電線１０の縁部でテーパ状にしてもよい。
【００１８】
外部接着層１７は、電線を所望表面に取り付けるために設けられている。外部接着層１７は、例えば両面テープにして、一方側を平形電線１０の裏面に固定し、他方側を壁または表面に固定することができる。代替的に、化学接着剤を個別に塗布してもよく、化学接着剤は、絶縁層１５及び平形電線１０を付着させる所望表面の両方に対して良好な付着性を備えた接着剤であればどのようなものでもよい。
【００１９】
例えば０．００５０８センチ（０．００２インチ）厚さの３銅層を備えた完成状態の平形３導体式電線１０は、断面高さｔが約０．０１７７８〜０．０２５４センチ（約０．００７〜０．０１０インチ）である。１５アンペア定格電線の場合、３導体式平形電線１０の全幅Ｗは、約５．０８〜６．３５センチ（約２．０〜２．５インチ）程度である。各導体の幅Ｗｃは、約１．０１６〜１．５２４センチ（約０．４〜０．６インチ）であって、導体の間隔Ｗｓは、約０．５０８〜０．７６２センチ（約０．２〜０．３インチ）である。
容易に識別可能で適当かつ安全な接続を確保するため、交流地絡線の幅Ｗｃを交流中性線及び交流電源線に比べてわずかに大きくすることができる。従って、交流地絡線の幅は、１．５２４センチ（０．６インチ）に近くなるが、他の２導体の幅は、１．０１６センチ（０．４インチ）に近くなる。代替的に、交流地絡線の幅を他方の導体に比べて小さくすることもできる。
同様な寸法を他の用途にも使用できるが、本発明を実用化する際に様々な寸法を大きく変更できることを理解されたい。
【００２０】
平形電線１０によって、ファン、天井照明、壁照明または美術品照明に使用するために、壁及び天井の特定位置に電気を引くための費用のかかる再配線に代わる簡単で安価な配線が可能になる。
【００２１】
図２は、本発明の１１０Ｖ交流５導体式電線２０の分解横断面図を示しており、５本の多層銅導体１１が平行に離設されている。この５導体式電線の実施態様は、上記の３導体式電線の実施態様の特徴を総て備えていると共に、第２回路を収容するために２本の導体１１を追加して設けられている。同様な部材は、同一の参照番号で示されている。
【００２２】
１１０Ｖ交流５導体式電線は、１本の平形電線に２つの回路が望まれる場合、例えば電線が照明とファンにつながっている場合や、切り換えプラグを使用する場合に使用される。本実施態様では、５本の導体が、２本の交流中性線と、２本の交流電源線と、そして１本の交流地絡線とで構成されている。
銅層の数及び厚さ、導体１１の幅Ｗｃ及び厚さｔ、そして導体間の間隔Ｗｓは、一般的に１１０Ｖ交流３導体式電線と同じ寸法である。完成状態の平形電線２０の全体幅Ｗは、約８．８９〜１０．７９５センチ（約３．５〜４．２５インチ）程度である。
【００２３】
本発明の平形電線の導体は、ほぼ図１に示されているようにして、２２０Ｖ交流電線の実施態様を構成するためにも使用することができる。例えば約０．００５０８センチ（約０．００２インチ）厚さの４銅層を備えた完成状態の平形３導体式２２０Ｖ交流電線は、断面高さｔが約０．０３０４８センチ（約０．０１２インチ）になるであろう。全幅Ｗは、約７．６２〜８．８９センチ（約３．０〜３．５インチ）程度であろう。中性線及び電源線の幅Ｗｃは、約１．０１６〜１．５２４センチ（約０．４〜０．６インチ）であるが、地絡線の幅Ｗｃは、約０．５０８〜１．０１６センチ（約０．２ないし０．４インチ）である。導体の間隔Ｗｓは、約１．０１６〜１．５２４センチ（約０．４〜０．６インチ）である。
３導体式１１０Ｖ交流電線の場合と同様に、３導体式２２０Ｖ交流電線の地絡線の幅を変えることによって、電線とコネクタとの適切な接続が容易になる。
【００２４】
スピーカ電線
上記実施態様と同様に、図３に示されている本発明のスピーカ電線３０は、ユーザがスピーカを室内の壁または天井のいずれの場所にも設置できるようにする平形の薄い可撓性電線である。スピーカ電線３０は、例えばステレオまたはモノオーディオコンポーネントに、あるいは「サラウンド＝サウンド」等の拡張テレビまたは音響システム用の外部スピーカの配線に使用できる。
スピーカ電線３０は、壁または天井の表面に取り付けることができるため、費用のかかる壁または天井の内側に再配線する必要がない。また、電線にペンキを塗るか、その上に壁紙を貼って、周りの表面と調和させることができる。
【００２５】
図３に示されているように、薄いスピーカ電線３０は、１対の多層銅導体１１を備えている。スピーカ電線３０の導電容量は、１０ゲージより線と同等であるのが好ましい。各導体１１は、一般的に２ないし３銅層を備えており、前者の場合が図３に銅層１１ａ及び１１ｂで示されている。銅層は、約０．００１０〜０．０５１センチ（約０．０００４〜約０．０２０インチ）厚さ、好ましくは約０．００５０８センチ（約０．００２インチ）厚さである。特定の用途に応じて使用する銅層の数を増減できることを理解されたい。
１対の導体１１は、前述したように、適当な接着剤１３によって分離されて、共に絶縁層１５で包囲されている。前述のものと同様の絶縁体及び接着剤を使用することができる。
【００２６】
用途上、外部信号及びクロスオーバ干渉を低減できるように、スピーカ電線３０に導体１１を包囲するシールド材１８を設けてもよい。シールド材１８は、適当な金属またはセミメタリックのシールド材料、例えばアルミニウムまたは金属化ポリエステルフィルムの１層または複数層にすることができる。
【００２７】
完成状態のスピーカ電線３０は、３銅層の断面高さｔが約０．０２０３２センチ（約０．００８インチ）で、全幅Ｗが約６．３５〜７．６２センチ（約２．５〜３．０インチ）である。各導体の幅Ｗｃは、約１．５２４〜２．０３２センチ（約０．６〜０．８インチ）で、導体間の間隔Ｗｓは、約０．５０８〜０．７６２センチ（約０．２〜０．３インチ）である。
【００２８】
図３に示されているように、視覚的隠蔽性を高めるために、電線３０の縁部をテーパ状にすることができる。スピーカ電線３０を適当な表面に取り付けるために、前述したものと同様な外部接着層１７も設けられている。
【００２９】
電話電線
本発明による電話電線の実施態様４０が図４に示されている。この実施態様では、６本の多層銅導体１１が接着剤１３で分離して設けられ、絶縁層１５で包囲されている。６導体式電線によって、内線交換機（ＰＢＸ）切り換えを使用しやすくなり、それによって公衆電気通信交換とのアクセスを含む内部電気通信交換が得られる。導体１１は、標準の２２ゲージ電話電線と機能的に同等である。
【００３０】
２本、４本及び８本の多層銅導体式電話電線も使用できる。さらに、８導体式の実施態様は、４より対の電線（例えば非シールドより対（ＵＴＰ）電線）に近く、データ伝送に適しているであろう。
各導体１１は、一般的に２または３銅層を備えており、前者が図４に銅層１１ａ及び１１ｂで示されている。銅層は、約０．００１０〜０．０５１センチ（約０．０００４〜約０．０２０インチ）厚さ、好ましくは０．００５０８センチ（０．００２インチ）厚さである。特定の用途に応じて、使用する銅層を増減できることを理解されたい。
３銅層を備えた完成状態の電話電線４０は、断面高さｔが約０．０２０３２センチ（約０．００８インチ）で、全幅Ｗが使用する導体１１の数に応じて約３．８１〜８．８９センチ（約１．５〜３．５インチ）である。各導体の幅Ｗｃは、約０．５０８〜１．０１６センチ（約０．２〜０．４インチ）で、導体間の間隔Ｗｓは、約０．３１７５〜０．６３５センチ（約０．１２５〜０．２５インチ）である。
【００３１】
図４に示されているように、視覚的隠蔽性を高めるために、電線４０の縁部をテーパ状にすることができる。電話電線４０を適当な表面に取り付けるために、前述したものと同様な外部接着層１７も設けられている。
【００３２】
ケーブルテレビＣＡＴＶ電線
本発明によるケーブルテレビＣＡＴＶ電線の実施態様５０が図５に示されている。この実施態様では、１対の導体１１が設けられ、その各々は、一般的に２または３銅層を備えており、前者が図５に銅層１１ａ及び１１ｂで示されている。銅層は、約０．００１０〜０．０５０８センチ（約０．０００４〜約０．０２０インチ）厚さ、好ましくは約０．００５０８センチ（約０．００２インチ）厚さである。特定の用途に応じて、使用する銅層を増減できることを理解されたい。
【００３３】
先行実施態様の場合と同様に、導体１１は、接着剤１３で分離されて、絶縁層１５で包囲されている。図５に示されているように、視覚的隠蔽性を高めるために、電線５０の縁部をテーパ状にすることができる。電線５０を適当な表面に取り付けるために、前述したものと同様な外部接着層１７も設けられている。
【００３４】
３銅層を備えた完成状態のアンテナ／ＣＡＴＶ電線５０は、断面高さｔが約０．０２０３２センチ（約０．００８インチ）で、全幅Ｗが約４．５７２〜５．５８８センチ（約１．８〜２．２インチ）である。各導体の幅Ｗｃは、約１．０１６〜１．５２４センチ（約０．４〜０．６インチ）である。図５に示されているように、導体間の間隔Ｗｓは、約１．０１６〜１．５２４センチ（約０．４〜０．６インチ）で、無線周波干渉を低減させ、送信品質を向上させるため、先行実施態様よりも幾分大きくなっている。ＣＡＴＶ電線は、３００オームに定格されている。
【００３５】
低電圧電線用例
図６は、本発明による低電圧電線の実施態様６０を示している。そのような低電圧（直流）の適用には、内部通話装置、セキュリティシステム、そして「スマートハウス製品」が含まれる。図６に示されているように、２つの直流導体１１が示されている。導体１１の構造は、前述の多層導体１１と実質的に同じである。本実施態様の内部接着剤１３、絶縁層１５及び外部接着層１７は、先行実施態様と同じにすることができる。
【００３６】
各導体１１は、一般的に２または３銅層を備えており、後者が図６に銅層１１ａ、１１ｂ及び１１ｃで示されている。銅層は、約０．００１０〜０．０５０８センチ（約０．０００４〜約０．０２０インチ）厚さ、好ましくは約０．００５０８センチ（約０．００２インチ）程度の厚さである。特定の用途に応じて、使用する銅層を増減できることを理解されたい。
３銅層を備えた完成状態の低電圧電線６０は、断面高さｔが約０．０２０３２センチ（約０．００８インチ）で、全幅Ｗが約３．０４８〜４．０６４センチ（約１．２〜１．６インチ）である。各導体の幅Ｗｃは、約０．７６２〜１．２７センチ（約０．３〜０．５インチ）で、導体間の間隔Ｗｓは、約０．５０８〜０．７６２センチ（約０．２〜０．３インチ）である。
【００３７】
図６に示されているように、視覚的隠蔽性を高めるために、電線６０の縁部をテーパ状にすることができる。電話電線６０を適当な表面に取り付けるために、前述したものと同様な外部接着層１７も設けられている。
【００３８】
底面照明電線
底面照明用の薄い可撓性電線は、上記の１１０Ｖ交流３導体及び５導体式電線の実施態様の構造と同様であるが、底面照明は、埋め込みライト１６９を組み込んでいる点が独特である。図１６を参照されたい。これによって、ユーザは、キャビネットや棚、あるいは底面照明が望ましい他の場所の表面の下側に、照明を設けることができる。この実施態様については、明細書の後半で従来の電線と平形電線系統との接続の説明でさらに詳細に説明する。
【実施例２】
【００３９】
コンセント及びコネクタ
本発明は、本発明の平形電線と従来の既存の電気コンセント及び従来の丸形電線系統との間を接続する一群のコンセントを範囲内に含む。これらの接続コンセントには、２つの一般形式があり、一方は、従来の既存コンセントに直接「差し込める」形式で、他方は、「独立形」表面取り付けユニットである。
【００４０】
差し込み式接続コンセントは、常に、標準的な家庭用電気配線機器と本発明による平形電線の様々な実施態様との間の適合接続を行う。従って、差し込み式コンセントは、常に、標準電流の電源の位置にある。独立形ユニットは、本発明の様々な平形電線実施態様を介して差し込み式ユニットに接続される。
【００４１】
図７は、差し込み形と独立形ユニットとの間の一般的な配置接続を示している。壁６６の背後から従来の丸形電線６９で給電される、従来の２雌ソケットコンセントが、コンセント６５の背後に配置されていると仮定する。従って、コンセント６５は、直接「差し込み」式である。このため、コンセント６７は、プラグアタッチメントなしで壁に取り付けられる独立形コンセントになる。従って、独立形コンセントは、既存のコンセントの位置に関係なく、室内のいずれの場所にも配置できる。
電線の実施態様では、例えば従来の電線６９からの電流が、差し込み式コンセント６５と本発明の平形１１０Ｖ交流電線６８とを介して、独立形コンセント６７へ送られる。
【００４２】
図８Ａは、差し込み式コンセント６５の分解斜視図であり、コンセントの様々な内部及び外部構成要素を示している。図示のように、コンセント６５は、コンセントカバー７４内に収容された側面取り付け雌ソケット７２及び７３を備えている。代替的に、雌ソケット７２及び７３を標準的なコンセント配置と同様に前面に設けることもできる。側面取り付けソケットには、コンセントカバー７４にペンキを塗るか、壁紙を貼って表面に溶け込ませることができるという利点がある。また、図８Ｂに示されているように、コンセントカバー７４の別の側面に追加の雌ソケット７２'及び７３'を設けることができ、この図面には４つの雌ソケットが示されている。
【００４３】
差し込み式コンセント６５のコンセントベース７５は、従来の既存コンセントの雌ソケットの上に重ねる開口７５ａ及び７５ｂを備えており、ねじまたは他の同様な取り付け装置によって表面に固定される。次に、コンセントカバー７４がベース７５に嵌め付けられる。
【００４４】
差し込み式コンセント６５は、また、平形電線コネクタ７６と、漏電遮断器（ＧＦＩ）モジュール７７及び対応のＧＦＩリセットボタン７８とを備えている。ＧＦＩモジュール７７（それの作動については本明細書で後述する）は、２組の雄接点７９及び７９'を備えており、開口７５ａ及び７５ｂを通って、従来の配線系統に連絡される夫々の雌ソケットに差し込まれる。ＧＦＩモジュール７７は、平形電線に穿孔または割れが生じた場合に、負荷への電流を遮断するように機能する。図８Ｃは、完成状態の差し込み式コンセントアセンブリ６５の下側の斜視図であり、ＧＦＩの雄接点７９及び７９'が、ベース部材７５の開口７５ａ及び７５ｂから延出しているところを示している。
【００４５】
独立形コンセント６７（図７）は、２つの点で、差し込み形コンセント６５とは異なっている。第１に、独立形コンセントには、ＧＦＩモジュール７７及び対応のリセットボタン７８を設ける必要がない。第２に、独立形コンセントは、従来の配線系統に直接的に接続されないので、そのベース７５に開口７５ａ及び７５ｂを設ける必要がない。他の総ての点では、差し込み形コンセントも独立形コンセントも同じである。
【００４６】
１つのコンセントベース７５が「打ち抜き」開口７５ａ及び７５ｂを備えた構造であれば、それを差し込み形コンセントにも独立形コンセントにも使用することができる。
【００４７】
図８Ｂは、差し込み式コンセントユニット６５の別の斜視図であり、それぞれ平形電線コネクタ７６及びＧＦＩモジュール７７と接続する２組の雄接点８１及び８３を描いていている。平形電線コネクタ７６及びＧＦＩモジュール７７は、ベース部材７５に固定されていないが、雄接点８１及び８３によってコンセントカバー７４に選択的に連結されることに注意されたい。
さらに図８Ｂでは、カバー７４の下側に銅フレーム８４が描かれている。銅フレーム８４は、雌ソケット７２、７２'、７３及び７３'と２組の雄接点８１及び８３とに導電接続を提供するように機能する。雄接点８３は、図８Ａに示されているＧＦＩモジュール７７の一方の表面の対応スロット８２に差し込まれる。
【００４８】
次に、独立形及び差し込み式の両コンセントに共通である、平形電線コネクタ７６について詳細に説明する。平形電線コネクタ７６は、本発明の平形電線と銅コンセントフレーム８４との間の接続点になっている。
【００４９】
そのような「平形電線及びコンセントフレーム間」コネクタ９０が、図９Ａに斜視図で示されている。説明のため、５導体式コネクタアセンブリが示されているが、コネクタは、所望数の銅層を有する所望数の平形導体と接続する構造にすることができる。
コネクタ９０の一表面に沿って、平形電線の各導体１１を受け取る複数の平形電線ソケット９２が設けられている。３導体及び５導体式電線に同じ５導体式コネクタアセンブリ９０を使用できるが、３導体式電線を使用する時には、外側の電線ソケットを減らす。他の電線実施態様では、独自の接続コネクタ９０を設けることができる。コネクタをコンセントカバー７４に固定された雄接点８１に差し込むことによって、コネクタを簡単に交換してコンセントカバー７４に挿入することができるので、多数のコネクタの必要性は、問題にならない。
【００５０】
各平形電線ソケットには、各多層導体１１の対応する銅層と接触する複数のスロット付きばね９４が設けられている（図９Ｂも参照）。上記の多層銅導体実施態様に対応して、一般的に２〜５個のスロット付きばね９４が設けられる。
【００５１】
図９Ａ及び図９Ｅの斜視図と図９Ｃの側面図とに示されているように、複数の細長い雌スロット９８がコネクタ９０の別の表面に設けられている。これらの細長い雌スロット９８は、図８Ｂに示されている対応する組の雄接点８１に接続される。雄接点８１をスロット９８に滑り込ませるだけで接続が行われる。
【００５２】
図９Ｅにさらにわかりやすく示されているように、各延在スロット９８は、一連のワイパまたはブラシ９８ａ〜９８ｄを備えており、その各々は、互いに独立的に動き、雄接点８１との良好な接続及び広い表面接触が得られるようになっている。
【００５３】
次に、各導体が３銅層を有する模範的な５導体式の実施態様を参照しながら、平形電線をコネクタ９０に接続する順序を説明する。第１に、各導体１１を夫々の平形電線ソケット９２と一直線に並べる。次に、各導体１１の各銅層をスロット付きばね９４の間に挿入する。スロット付きばね９４は、図９Ｄに示されているように、ねじ９６でわずかに押し付けられている。ねじを締め付けることによって、各銅層の頂部及び底部の両方をスロット付きばねと確実に接触させることができる。これによって、最良の導体接続が確保されると共に、各銅層（従って各導体）が同一の抵抗になることを確実にする。
【００５４】
最後に、雄接点８１と細長い雌スロット９８とを一直線に並べて、差し込み式または独立形コンセントに接続する。コンセントカバー７４は、平形電線がコンセントカバー７４を通過してコネクタ９０に到達できるようにするため、コネクタ９０の平形電線ソケット９２に向き合った縁部に小さい切り欠きを備えている。
【００５５】
平形電線及びコンセントフレーム間のコネクタに加えて、従来の丸形電線と上記の様々な平形電線実施態様との接続を行うための第２形式のコネクタも必要である。これは、例えば平形電線を壁照明、ファンまたは内部通話システムに接続する場合に必要になる。
【００５６】
そのようなコネクタ１００の例が、図１０Ａに斜視図で示されており、５導体式平形電線及び従来型電線間のコネクタが描かれている。説明上、５導体式電線が示されているが、コネクタは、所望数の平形導体及び所望数の従来の丸形電線と接続する構造にできることは理解されるであろう。３導体式及び５導体式の電線に同じ５導体式コネクタアセンブリ１００を使用することができるが、３導体式電線を使用する時には、外側の電線ソケットを減らす。他の電線実施態様では、独自の接続コネクタ１００を設けることができる。
【００５７】
図１０Ａに示されているように、コネクタ１００は、一表面に沿って複数の従来の止めねじ１０１を備えており、従来の丸形配線系統と共通な、標準的「電線巻き付け」接続用の接続部を提供している（図１０Ｂも参照）。別の表面に沿って、平形電線の各導体を受け取る１つまたは複数の平形電線ソケット１０２が配置されている。各平形電線ソケット１０２は、各多層導体の各層と接触する複数のスロット付きばね１０４（図１０Ｄも参照）を備えている。スロット付きばね１０４は、図１０Ａ及び図１０Ｃに示されているような、ねじ９６でわずかに押し付けられており、コネクタ９０に関して説明したようにして機能する。平形電線のコネクタによる平形電線ソケットへの接続は、コネクタ９０に関して説明したようにして行われる。
【００５８】
図１１Ａは、改良型の３ワイパ式雌ソケット１１０を描いており、これは本発明の差し込み式コンセント６５または独立形コンセント６７に組み込むことができる。
ソケット１１０は、夫々のワイパアセンブリ１１４及び１１６に接する鋳銅リード線１１１及び１１２を備えている。各ワイパアセンブリは、３つのワイパ（１１４ａ、１１４ｂ、１１４ｃ；１１６ａ、１１６ｂ、１１６ｃ）を備えており、その各々は、各アセンブリの残りの２つと独立して動く。
このため、３ワイパ式ソケット１１０によって、銅リード線１１１及び１１２との良好な接続及び広い表面接触が得られる。銅リード線１１１及び１１２の他端部は、銅フレーム８４（図８Ｂを参照）まで延びている。また、３つのワイパが独立して動くため、ソケットは、プラグ内のトルクを良好に収容することができる。
【実施例３】
【００５９】
スイッチ
本発明の電線製造物と共に使用する独特のスイッチ１２４'群が設けられている。スイッチは、既存のスイッチに電気配線されるか、既存のコンセントに差し込まれるか、無線周波（ＲＦ）遠隔電力によって作動される。スイッチは、主に３導体及び５導体式電線と、上記の底面照明実施態様と共に使用される。
【００６０】
このスイッチ機構は、前面または側面（図１１Ｂ及び図１１Ｃ）に取り付けることができ、以下のものを含む多くの変更型スイッチが考えられる。
（１）トグル制御式、固定取り付け、個別配線型、
（２）容量タッチまたは膜スイッチ制御式、固定取り付け、個別配線型、
（３）容量タッチまたは膜スイッチ制御式、固定取り付け、無線周波（ＲＦ）送信／受信対、
（４）容量タッチまたは膜スイッチ制御式、携帯または壁掛け式、ＲＦ送信／受信対、
（５）容量タッチまたは膜スイッチ制御式のインディケータ付き完全調光装置、携帯または壁掛け式、ＲＦ送信／受信対。
【００６１】
しかし、使用するスイッチの具体的な形式に関係なく、総てのスイッチは、一定の共通構成要素を備えている。スイッチ１２４'（図１２Ｂを参照）は、交流回路を切り換えない。そうではなく、それらは、図１２Ｂに示されているように、低電圧電線１２５（１２Ｖ直流）を介して、交流回路を切り換える対応するプラグへ信号を送る。
スイッチ装置がハード配線されている場合、電圧回路を介して接続される。これによって、適合プラグユニットがなければスイッチが使用できなくなる。
【実施例４】
【００６２】
工具
本発明の独特の薄い平形電線は、コネクタ及び既存のコンセントへの取り付けを容易にするために、同様に独特の絶縁被覆はぎ取り工具を必要とする。上記の各電線実施態様には、それ専用の特別な工具がある。
【００６３】
２種類が考えられ、一方は専門の電気技術者または施工者用で、他方は素人用である。専門家用はぎ取り工具は、従来のはぎ取り工具の操作法と同様な簡単な方法で導体１１から絶縁層１７を切ってはぎ取る構造になっている。導体の厚さが小さいことを考慮して、はぎ取り工具は、そのような精密な切断及びはぎ取りを行うことができるように、正確に加工処理されることは明らかである。そのような正確な加工処理は、そのような工具のコストを上昇させるため、経済的に専門家しか使用できなくなる。
【００６４】
素人向きの第２のスライサ工具は、電線をストリッパ内に整列させて、導体付近でそれに垂直にスライスすることによって、ユーザが必要な絶縁材をはぎ取って導電層に達することができるようにする。それから、絶縁材を鋏で引き剥がして取り除く。
【実施例５】
【００６５】
システムの用例
上記の様々な電線、コンセント、スイッチ及びコネクタを組み込んだ、一般的なシステム実施態様が、図１２Ａに示されている。
図１２Ａを参照すると、従来のコンセント１２０と従来のスイッチ１２４とが設けられている。図示の位置に天井ファン１２６を配線したい場合、通常は、そのファンまで電流を引くために、費用のかかる壁及び天井の配線作業を行わなければならないであろう。
【００６６】
しかし、本発明の平形電線、コンセント、スイッチ及びコネクタを用いることによって、その仕事が以下に説明するように非常に簡単になる。第１に、差し込み式コンセント６５（図８Ａ）を従来のコンセント１２０に差し込む。次に、独立形コンセント６７を壁の所望位置に固定する。平形電線１２３（例えば３導体または５導体式１１０ボルト交流）を差し込み式コンセント６５と独立形コンセント６７の間に、また独立形コンセント６７とファンとの間に引く。
コネクタ９０（図１２Ａには示されていないが、図９Ａに示されている形式のもの）で平形電線１２３を差し込み式及び独立形コンセント６５及び６７に接続する。また、別のコネクタ１００（図１０Ａに示されている形式のもの）でファン１２６の従来の丸形電線を平形電線１２３に接続する。
平形電線１２３は、前述したように接着層１７で、一般的に両面テープで、壁表面に固定され、これにペンキを塗るか、壁紙を貼って電線を見えなくする。
【００６７】
図示のように、平形のたわみ電線１２３は、天井と壁の継ぎ目の点１２７で幅方向に沿って９０度曲げられ、平形電線は、異なった平坦表面に付着される。様々な平坦表面の継ぎ目に合わせて幅方向に沿って所望角度で曲げられるのに加えて、可撓性電線は、同一平面上での角度変化に合わせて、実際に所望角度で折り返すことができる。
【００６８】
例えば、図１２Ａの第２壁照明装置１２６'について考える。壁照明１２６'は、平形電線１２８で標準型スイッチ１２４に接続されている。美観上の理由から、第２独立形スイッチを従来のスイッチ付近に配置しないで、平形電線を地点１２９及び１２９'で４５度屈曲させている。平形電線は、基本的に折り返すことによって４５度旋回させることができる。
【００６９】
図１３ないし図１７は、上記平形電線を用いた様々なシステム実施態様を、より具体的に、概略的に示している。システムについて、以下に簡単に説明する。
図１３は、平形電線／従来のスピーカ電線の接続を示している。説明を簡単にして分かり易くするため、１つのスピーカ１３１のみが、ステレオ１３０と共に示されている。本発明の平形電線を用いて、幾つのスピーカでも使用できることは理解されるであろう。
図示のように、ステレオ装置１３０を平形電線１３３でスピーカ１３１に接続する。スピーカ１３１は、いずれの所望位置にも配置できる。次に、従来のスピーカ電線１３６を壁上の独立形プラグに接続する。新しいスピーカ位置近傍の所望位置に、第２独立形プラグを配置する。次に、平形電線１３３を２つの独立形プラグ間に引く。平形電線１３３の全体にペンキを塗るか、壁紙を貼って、目障りで煩雑なスピーカ電線を無くすことができる。
【００７０】
図１４には、拡張電話の接続に使用される平形電線／従来の電話ジャック接続の用例が概略的に示されている。
図示のように、既存の電話ジャックまたは電話ソケット１４１を平形電線１４３を介して拡張電話ジャック１４２に接続する。図示のように、平形電線電話装置１４７を既存の電話ジャック１４１に接続する。拡張電話ジャック１４２を所望位置に配置して、平形電線電話装置１４７'に接続する。次に、平形電線１４３を平形電線電話装置１４７及び１４７'間に接続する。次に、平形電線１４３の全体にペンキを塗るか、壁紙を貼って、目障りで煩雑な電話電線を無くすことができる。
【００７１】
ＣＡＴＶの用例の概略図が図１５に示されている。ケーブルインプット１５１が７５オーム同軸ケーブル１５８を介して家に引き込まれる。次に、家へのインプット１５１付近の壁に取り付けられた７５オーム−３００オーム変換装置１５７にケーブル１５８を接続する。第２変換装置１５７を所望のテレビ１５２の位置付近に配置する。次に、平形電線１５３を２つの変換装置間に引く。上記のように、平形電線１５３の全体にペンキを塗るか、壁紙を貼って、目障りで煩雑なＣＡＴＶ電線を無くすことができる。
【００７２】
埋め込みライト１６９を備えた平形電線１６３を含む底面照明の実施態様が、図１６に示されている。スイッチまたはプラグ１６１を平形電線１６３に接続する。埋め込みライト１６９は、例えば２０ないし１００ワットの両面ＲＳＣベース１２０Ｖハロゲンランプにすることができる。平形電線は、追加ライトが望まれるいずれの底面位置、例えばキャビネットや棚の下側に配置することができる。平形電線１６３にペンキを塗るか、壁紙を貼って、周りの表面に調和させることができる。
【００７３】
本発明の平形電線は、直流（ＤＣ）の用例にも使用できる。図１７を参照すると、直流電源１７１が、平形電線１７３を介して直流コンセント１７２に接続されている。他のシステム実施態様の場合と同様に、壁コネクタが従来の直流電線１５８と平形電線１５３との接続している。
【実施例６】
【００７４】
漏電遮断器（ＧＦＩ）回路
平形電線は、ペンキを塗るか、壁紙を貼った後ではほとんど見えないので、後日、誤って平形電線に釘や絵画用フックを打ち込んだり、それ以外にも電線を切断する可能性がある。
従って、各システムには、極薄絶縁層を誤って貫通した場合の損傷を防止するための安全手段として、漏電遮断器（ＧＦＩ）モジュール７７（図８Ａないし図８Ｃを参照）が設けられる。接地故障とは、物または人が通常の内部接地以外の接地路となることから出た表現である。
【００７５】
ＧＦＩ回路は、交流回路の電源線及び中性線を流れる電流を監視して、１０ミリアンペア以上の不一致が感知された場合、両導体を回路ブレーカで断路する。回路ブレーカは、永久的な有害放電を防止できる速度で作動する。
いずれの回路も接続前に点検し、接続後に再点検するようにして、回路は、フェールセーフ方法を提供する。回路からの電力は、回路故障では電力が回路ブレーカから先へ進まないような接続にされている。
【００７６】
前述したように、回路は、物理的には、上記のように従来の壁コンセントに差し込む「差し込み式」コンセント６５（図８Ａないし図８Ｃを参照）内に設けられている。ＧＦＩ検出回路は、基本的に常閉のリレーである。アースへの故障電流が、電源回路の過電流保護装置を作動させる必要がある値より小さい所定値を越えると、リレーが開いて、負荷への電流を遮断する。
【００７７】
図１８は、本発明に従って、４プラグ３端子装置に接続されたＧＦＩ検出回路を有する、標準的な単一回路１８０の非切り換え形２プラグシステムを示している。
【００７８】
図１９は、本発明に従って、８プラグ装置（４つの主プラグと４つの拡張プラグ）に接続されたＧＦＩ検出回路を有する、標準的な単一回路１９０の非切り換え形２プラグシステムを示している。
【００７９】
図２０は、本発明に従って、夫々４プラグ装置（２つの主プラグと２つの拡張プラグ）に接続された２つのＧＦＩ検出回路を必要とする、標準的な２回路２００の切り換え形２プラグシステムを示している。
【００８０】
以上の実施態様で本発明を説明してきたが、添付の請求項の精神及び範囲内で、変更を加えて本発明を実施できることは、当業者であれば理解されるであろう。
【００８１】
１．  表面取り付け式の可撓性多目的電線であって、
夫々が複数の銅層を含む、ほぼ平行に離隔配置された複数の細長い平形導体と、
前記複数の平形導体を分離させる接着剤と、
前記複数の平形導体及び前記接着剤を包囲する絶縁層とを備えており、前記接着剤は前記絶縁層に付着しており、
前記平形導体及び前記絶縁層の断面高さは、ペンキを塗るか、壁紙を貼った後、前記多目的電線が前記表面に溶け込むような高さである電線。
２．  前記複数の銅層の各々は、約０．０００４ないし約０．０２０インチ厚さである１項に記載の電線。
３．  前記導体層の厚さは、その長さ及び幅全体にわたって均一である１項に記載の電線。
４．  前記絶縁材料は、ポリエステルフィルム、ウレタンフィルムまたはテフロン（登録商標）フィルムからなるグループから選択される１項に記載の電線。
５．  前記接着剤は、接着テープまたは液体接着剤のうちの少なくとも一方である１項に記載の電線。
６．  前記平形導体及び絶縁層の前記断面高さは、約０．００２〜約０．０５０インチ厚さである１項に記載の電線。
７．  前記電線を表面に溶け込みやすくするため、前記電線の端部がテーパ状になっている１項に記載の電線。
８．  さらに、前記電線を前記表面に付着させるために前記絶縁層に固定された接着層を備えている１項に記載の電線。
９．  前記可撓性電線は、異なった平坦表面に合わせていずれの角度にも曲げられる１項に記載の電線。
１０．  前記可撓性電線は、同一平坦表面に沿った方向転換に合わせていずれの角度にも曲げられる１項に記載の電線。
１１．  表面取り付け式の可撓性多目的電線であって、
複数の銅層を含む細長い平形導体と、
前記導体に固定された接着剤と、
前記導体及び前記接着剤を包囲する絶縁層とを備えており、前記接着剤は前記絶縁層に付着しており、
前記平形導体及び前記絶縁層の断面高さは、ペンキを塗るか、壁紙を貼った後、多目的電線が前記表面に溶け込むような高さである電線。
【図面の簡単な説明】
【００８２】
【図１】標準的な電気配線に使用される３線式平形導体の分解横断面図である。
【図２】２回路を必要とする用例に使用される５線式平形導体の分解横断面図である。
【図３】スピーカシステムに使用する２線式平形導体の分解横断面図である。
【図４】電話用に使用する６線式平形導体の分解横断面図である。
【図５】ＣＡＴＶ用の２線式平形導体の分解横断面図である。
【図６】低電圧用に使用する２線式平形導体の分解横断面図である。
【図７】平形電線を介して接続される差し込み式及び独立形コンセントの斜視構造図である。
【図８Ａ】本発明のコンセントアセンブリの構成要素の分解斜視図である。
【図８Ｂ】本発明のコンセントアセンブリの構成要素の代替型の分解斜視図である。
【図８Ｃ】本発明の完成状態のコンセントアセンブリの下側の斜視図である。
【図９Ａ】本発明に従った平形電線及びコンセントフレーム間のコネクタ接続部の斜視図である。
【図９Ｂ】図９Ａの平形電線及びコンセントフレーム間のコネクタ接続部の上面である。
【図９Ｃ】図９Ａの平形電線及びコンセントフレーム間のコネクタ接続部の側面である。
【図９Ｄ】図９Ａの平形電線及びコンセントフレーム間のコネクタ接続部の底面図である。
【図９Ｅ】細長スロット及びワイパを示す、図９Ａの平形電線及びコンセントフレーム間のコネクタの下側の斜視図である。
【図１０Ａ】本発明に従った平形電線及び従来の電線間のコネクタの斜視図である。
【図１０Ｂ】図１０Ａの平形電線及び従来の電線間のコネクタの上面である。
【図１０Ｃ】図１０Ａの平形電線及び従来の電線間のコネクタの側面である。
【図１０Ｄ】図１０Ａの平形電線及び従来の電線間のコネクタの底面図である。
【図１１Ａ】本発明による３ワイパ雌プラグソッケト装置の三次元斜視図である。
【図１１Ｂ】側面取り付けスイッチの前部斜視図である。
【図１１Ｃ】側面取り付けスイッチの側部斜視図である。
【図１２Ａ】天井ファンに接続された表面取り付け式平形電線の斜視図である。
【図１２Ｂ】本発明に従った個別配線スイッチの実施態様の斜視図である。
【図１３】平形電線／スピーカシステム構造の概略図である。
【図１４】平形電線／電話ジャックシステム構造の概略図である。
【図１５】平形電線／ＣＡＴＶシステム構造の概略図である。
【図１６】平形電線／埋め込みライトシステム構造の概略図である。
【図１７】平形電線／直流電源システム構造の概略図である。
【図１８】切り換え式入力プラグを備えていない４コンセント３端子用のＧＦＩ検出回路の概略図である。
【図１９】切り換え式入力プラグを備えていない８コンセント用のＧＦＩ検出回路の概略図である。
【図２０】切り換え式入力プラグを備えた８コンセント用のＧＦＩ検出回路の概略図である。
【符号の説明】
【００８３】
１１    導体
６５    差し込み式コンセント
６６    壁
６７    独立形コンセント
６８    平形交流電線
６９    丸形電線
７２，７３    雌ソケット
７４    コンセントカバー
７５    コンセントベース
７５ａ，７５ｂ    開口
７６    平形電線コネクタ
７７    漏電遮断器（ＧＦＩ）モジュール
７８    ＧＦＩリセットボタン
７９，８１，８３    雄接点
８２    対応スロット
８４    銅フレーム
９０    コネクタ
９２    平形電線ソケット
９４    スロット付きばね
９６    ねじ
９８    雄スロット（延在スロット）
９８ａ〜９８ｄ    ブラシ
１００    コネクタ
１０１    止めねじ
１０２    平形電線ソケット
１０４    スロット付きばね
１１０    ソケット
１１１，１１２    銅リード線
１１４    ワイパアセンブリ
１１４ａ，１１４ｂ，１１４ｃ    ワイパ
１１６    ワイパアセンブリ
１１６ａ，１１６ｂ，１１６ｃ    ワイパ
【図１】
2006164990.tif 000003
【図２】
2006164990.tif 000004
【図３】
2006164990.tif 000005
【図４】
2006164990.tif 000006
【図５】
2006164990.tif 000007
【図６】
2006164990.tif 000008
【図７】
2006164990.tif 000009
【図８Ａ】
2006164990.tif 000010
【図８Ｂ】
2006164990.tif 000011
【図８Ｃ】
2006164990.tif 000012
【図９Ａ】
2006164990.tif 000013
【図９Ｂ】
2006164990.tif 000014
【図９Ｃ】
2006164990.tif 000015
【図９Ｄ】
2006164990.tif 000016
【図９Ｅ】
2006164990.tif 000017
【図１０Ａ】
2006164990.tif 000018
【図１０Ｂ】
2006164990.tif 000019
【図１０Ｃ】
2006164990.tif 000020
【図１０Ｄ】
2006164990.tif 000021
【図１１Ａ】
2006164990.tif 000022
【図１１Ｂ】
2006164990.tif 000023
【図１１Ｃ】
2006164990.tif 000024
【図１２Ａ】
2006164990.tif 000025
【図１２Ｂ】
2006164990.tif 000026
【図１３】
2006164990.tif 000027
【図１４】
2006164990.tif 000028
【図１５】
2006164990.tif 000029
【図１６】
2006164990.tif 000030
【図１７】
2006164990.tif 000031
【図１８】
2006164990.tif 000032
【図１９】
2006164990.tif 000033
【図２０】
2006164990.tif 000034